(57)【要約】【課題】「個性的に飾る」と、「遊ぶ」又、「何処にでも安全に」を目的とし、胸に、腰、バッグ等への兼用と、芳香剤等の癒し系備品、発声体、財布等の必携品を同時に保持でき、更に、追加加工可能で、尚、離脱落防止機能を備えたホルダーを得る。【解決手段】折返し状を主体とする弾性の保持環と、下部制脱体、又、反転式の伸縮性上部制脱体でなる半身出し状の収納ケースの背面側に、折り返し状の反転式装着体と、平面版状の反転抵抗体を備えて尚、着脱体、滑走体、伸縮体を備えた帯紐状連繋体を、携帯品と直結する式で取付け、更に、帯状体に環状部と、貫通孔、着脱具を設け、線状締着体で連結してなる環状装着体を備える。又、平面体でなるU字体の組合せで収納部と装着部を備え、尚、面上に貫通孔と凹凸部、着脱体、吊り体を備えて収納ケースと、財布などの離脱抵抗体、又、玩具などの装飾体を取付ける。【選択図】    図２
2004275752.tif 000002
【特許請求の範囲】
【請求項１】
図1-1に示す（イ、ロ、ハ、ニ、ホ、ヘ、ト）の如く、折返し状体の端部側を閉じる式を応用することを基本とし、収納ケースへ吊り体と伸縮調整体を設けた弾性の抑脱体を取付ける第一手段、背面側へ貫通孔と着脱体を設けた平面状の反転抵抗体を兼ねた装着体を、支点体を介して重合する第ニ手段と、装着体へ環状部と貫通孔を設けた帯紐体と線状連結体でなる吊下げ環状体を取付ける第三手段、着脱体と伸縮体を備えた帯紐状連繋体で収納ケースと携帯品を連結する第四手段を備えてなるホルダー
【請求項２】
挿入口が重ね襟模様でなる切り裂き状を特徴とする収納ケースへ着脱体と貫通孔を設け、尚、発声体、嗜好性体を付加した平面体でなる反転抵抗体と、着脱体を設けた装着体を、支点体を介して重合する第一手段、ケース周上の支点を介して、弾性体でなる捩れ模様を特徴とする帯紐状体と、収束リング、及び吊りリングでなる反転式制脱体を取付ける第二手段、尚、滑走体と着脱具及び、伸縮体、帯紐体でなる連繋体と、長尺帯紐体を備えてなるホルダー
【請求項３】
弾性体の両端を、平面体に沿えてなる曲線部と直線部を併せ持つ断面形状を備えた保持環とする式を基本とし、図３-1の如く、弾性で透明性の中空体g1と、線状体g2、直線芯軸g３、及び連結体g４からなる保持環Gを備え、図３-２に示す如く、二重保持環G１、絞り体g5と、T字状連結体ｇ6、透明性帯ｇ7、着脱体（g8、g9、g10、g11）と、リングg12でなる制脱体G２を備えてなるリング式収納ケース
【請求項４】
平面体へ貫通孔と、凹凸部、着脱体、突起体、及び吊り点を設ける第一手段と、平面体を折返し状に形成し、重合する第ニ手段、着脱体とコイル式伸縮体、弾性楔体、錘体、収束体を設けた連繋紐で収納ケースと携帯品を連結する第三手段、尚、背面側に連繋体を備えた財布状離脱抵抗体を取付け、表側に装飾体を取付ける第四手段を備えたホルダー
【請求項５】
分割した帯状体の一方に環状部と貫通孔、着脱体を備え、他方に着脱体と複数の貫通孔を設ける第一手段、折り返し状の線状体へ収束体とツマミ体を設けた結束体で連結して環状とする第ニ手段でなる環状装着体
【請求項６】
携帯電話機の背面へ、支点体を設けた保持体と、折り返し状の装着体を備えることを特徴とするホルダー
【発明の詳細な説明】
【技術分野】
【０００１】
携帯品ホルダーに関する。
【背景技術】
【０００２】
従来、ホルダーは保持、保管だけの目的で供されるのが一般的で、本体の形状、形態は固定されていて、収納ケースの形状は袋式で、携帯電話機等を収納して開閉カバーで覆い隠す構造としており、背面に装着部を備えている。しかし、覆い隠す講造は嵩張って見え、腰に装着した際、外観的に違和感が生じ、尚、着脱時に脱落の心配がある。又、一定の場所で専用する講造であり、他への兼用装着に配慮したものは無く、尚、携帯電話機、カギ類、財布等の必携備品を個別で携行する場合が多く、置き忘れと、紛失の心配があり、未だ、ホルダーと携帯品を直結する式連繋体は無く、又、嗜好性備品、発声体、マスコット体等を兼備することを目的としたものは無い。
【特許文献１】特開平１０―４２０１９
【特許文献２】特開平１０―２５７１４７
【特許文献３】特開平１１―１５５６２１
【特許文献４】特開２００２―２８２０１８
【発明の開示】
【発明が解決しようとする課題】
【０００３】
「個性的に飾る」と、「遊ぶ」又、「何処にでも安全に」を目的とし、嵩張らない構造で、胸、腰、手首、バッグ等に兼用して、外観的にも違和感が生じず、尚、マスコット人形、芳香剤、発声体等の癒し系備品、又、財布等の必携品を同時に装着することが出来て、尚、脱防止機能を備えたホルダーを得る。
【課題を解決するための手段】
【０００４】
図１-1に示した折返し状体一覧図の（イ、ロ、ハ、ニ、ホ、ヘ、ト）の応用を基本にして、（請求項１）の如く、折返し状体と平面体でなる収納ケースへ、吊り体と伸縮調整体を設けた弾性制脱体を取付ける第一手段、背面側へ貫通孔と着脱体を設けた折返し状の装着体を重合する第ニ手段、尚、装着体へ環状部と、貫通孔を設けた帯紐体と線状連結体でなる装着環を取付ける第三手段、着脱体、伸縮体を備えた帯紐状連繋体で収納ケースと携帯品を連結する第四手段を備えて解決する。依って、図１-２の基本型を示す概要図の如く、横挿入式の収納ケースへ、制脱体と、伸縮調整体と吊り体を備えた弾性抑脱体を取付け、尚、縦向きの装着体へ、着脱体を設け、尚、貫通孔と着脱体を設けた平面状の反転抵抗体を、支点体を介して重合する。尚、離脱抵抗体とする折りたたみ式財布と、錘体（コイン袋）を備え、又、端部へ環状部を設けた装着ベルトと、着脱体と伸縮体からなる連繋紐を取付ける。又、図２に示す如く、収納ケースを挿入口が重ね襟模様でなる切り裂き状とし、伸縮性収束管とリング状吊り体を設けた捩れ模様の伸縮性制脱体をケース周上の対辺に吊り体を設けて取付ける。又、図３-1の如く、帯紐状弾性体の両端を、直線状の接手で連結してなる曲線部と、直線部を併せ持ち、電話機外周に部分的内接状態となる形状を基本とし、図３-２ の如く、透明性中空体と、線状体、絞り体、及び、直線状の連結体でなる保持環へ、T字状連結体と、透明性で帯紐状の制脱体を備える。又、図４-1の如く、平面体へ貫通孔と、凹凸部、着脱具、突起体、及び吊り点を設け、図４-2の如く、折返し状にして収納ケースを取付ける。又は、U字体を重合して、装着部と収納部を形成する。尚、図４-３の如く使用する。又、離脱防止は、ホルダーと携帯品を常時連繋する式で、図１-２で示す収束体と着脱体、伸縮体を備えた連繋体７、又は、図２で示す滑走体と着脱体を備えた連繋体E、又は、図６‐1に示す伸縮ストラップIxと締着ストラップIyを組合わせた併合ストラップIa、或いは、図６-３に示す環状ストラップIbを利用する。尚、バッグの把手に取付ける図５-１、図５-２に示す分解式の吊下げ環を利用する。又、携帯電話機の背面側へ、支点体を設けた保持体を接着し、尚、折返し状の装着体を備える。
【発明の効果】
【０００５】
図１-１の一覧表に示す折り返し状体の端部側を閉じる構造は、図1-2に示すように、収納ケース、装着体、制脱体、連繋体、保持体、締結体など多様に応用できる。収納ケースへ折返し状の装着体を取付ける構造は吊るす式と、掛ける式が容易に得られ、尚、着脱機能が容易に得られる。又、装着体へ帯紐体でなる装着環を取付けることにより太さの異なる把手などに対応できる。尚、着脱体、伸縮体を備えた連繋紐で収納ケースと携帯品を連結する式は不意の脱落の際、安心である。又、平面体へ貫通孔と、凹凸部、着脱具、突起体、及び吊り点を設ける構造は容易に収納ケースと、装着環、連繋体を取付けることが出来、マスコット体等の装飾体を備えられ又、吊下げ用として容易に対応できる。又、平面体を折返したU字体を重合する構造は、図4-5の一覧表に示す如く、多様な装着部と収納部を備えたホルダーが得られる。又、図１-2に示すように、収納ケースへ、吊り体と伸縮調整体を設けた弾性制脱体と、折返し状の装着体を取付ける構造は掛ける式と、掛ける式に対応できる。又、支点鋲体と着脱鋲を設けることにより腰に取付けた際、適当な傾斜角が得られ、又、適度に挿着体の制脱が出来、尚、弾性体による復元性で元の形状が維持できるため、操作が簡単である。図２の如く、特徴とする重ね襟模様の収納ケースと、捩れ模様の制脱体は電話機を挿入した際にも美形が生きる。透明性体とすれば容易に光沢性を得られる。
切り裂き状となるため電話機が掴み易く、紐上で滑走体を介して移動出来る講造は、操作も簡単で、安心である。ケース背面側に反転抵抗体とする平面版を取付けることは過度な揺れと、転がり受圧を軽減することが出来、尚、面版式孔開け構造は補足加工が容易で、用途を拡げることができ、又、容易に癒し系要素の芳香剤、陽焼け止めクリーム等の薬剤等の嗜好性体を内在、又は添加させることが出来る。
又、図3-1の如く、曲線部と、直線部を併せ持つ形状とする柔軟性の保持環は簡素で嵩張らない収納ケースとして利用でき、透明性の保持環と、捩れ模様の制脱体、抑脱体及び、着色紐芯軸とすることにより 独特の美しい形状が得られ、又、軽量で、小型化出きる為、電話機に吊るす状態で飾り体として楽しめる。図４‐２の一覧図に示す如く、面版を折り曲げて端部を閉じる構造は,簡単に多様の収納ケースが得られ、又、図４-4の如く、折りたたみ式財布を吊るす式は腰ベルト無しのズボン等の胴縁へ掛けることができる。
【発明を実施するための最良の形態】
【０００６】
図1-1に示す（イ、ロ、ハ、ニ、ホ、ヘ、ト）の如く、折返し状体の端部側を閉じる式を基本とし、収納ケースへ、吊り体と伸縮調整体を設けた弾性の制脱体を取付ける第一手段、背面側へ貫通孔と着脱体を設けた平面状の反転抵抗体を兼ねた装着体を、支点体を介して重合する第ニ手段と、装着体へ環状部と貫通孔を設けた帯紐体と線状連結体でなる装着環を取付ける第三手段、尚、着脱体と伸縮体を備えた帯紐状連繋体で収納ケースと携帯品を連結する第四手段を備える。「何処にでも」と、「安全に」の目的を達成させるため、収納ケースに折返し状の装着体を取付けて、掛ける式と、吊下げる式を合わせた構造とする。依って、横挿入式とする収納ケースへ、吊り体と伸縮調整体を設けた弾性の制脱体を取付け、吊るす式として利用するもので、腰などに横向きで挿着した携帯電話機などの収納体の離脱を防ぎ、尚、着脱操作を容易とするため、収納ケースへ伸縮する制脱体を取付け、その空間で出し入れする講造とし、その空間形状を保持させるため、弾性帯紐の復元力を利用する。又、胸に吊り下げた際、傾きと過度な揺れを抑えるため、収納ケースの対辺に吊り用の支点体を設けて重心線上で吊るす式とし、又、転がり受圧に対抗するため、背面側に平面体でなる反転抵抗体を重合させる。尚、芳香剤、発声体等の嗜好性又は癒し系備品を、付加、内在させるため、袋式の平面体とし、着衣との接触による摩擦抵抗力をも利用する。又、「個性的に飾る」と、「外観的にも違和感が生じず」、又、「嵩張らない構造」の目的を達成させるため、収納ケースを美形の携帯電話機が見え、又、掴み易い構造の半身出し状、又は、挿入口が重ね襟模様でなる切り裂き状にした袋式とする。又、捩れ模様で透明性の帯紐状の上部制脱体を設けた光沢性等の装飾的要素を加える。又、帯状弾性体の両端を、硬質の直線状でかつ、直線状の接手で連結して形成される曲線部と、直線部を併せ持ち、電話機外周に部分的内接状態となる構造を基本とし、図３-１の如く、透明性中空体と、線状芯体、及び、直線状の連結体でなる保持環とし、図３-２の如く、T字状連結体と絞り体、又、透明性で帯紐状の制脱体を備えてリング式収納ケースとする。又、弾性の皮革帯等を使用して同様の講造とする。又、必携品を同時に又、安全に装着するため、貫通孔と、凹凸部、着脱体、突起体、及び吊り点を設けた平面版をU字状にして収納ケースを取付ける。又、面上へ収納ケースと、リング状保持体を設けたマスコット体を取付ける為の貫通孔と、又、電話機等の挿入体の案内と、楔機能、或いは、伸縮式連繋体の環状部を引掛けるための突起体、及び、制脱体を取付けるための吊り点、又、背面側にはズボン等の胴縁へ掛けて着衣内で吊るして離脱抵抗体とする内蔵式財布、錘体を取付ける為の着脱体と貫通孔を設ける。尚、重合して収納部と装着部を形成させる。又、折返し講造を基本として、図４-5に示す応用一覧図の如く、他の方式でも応用する。尚、不意の脱落を防ぎ保護する為、連繋体でホルダーと携帯品を常時連繋する式とし、連結したまま、必要な位置で使用でき、任意に外せる構造とする為、図１-２に於ける連繋体7、図２に於ける連繋体E,図6-1の併合ストラップIaを携帯電話機とホルダーを直結する式で利用する。又は、図6-3の環状ストラップIｂを利用する。連繋体Eは、滑走リングを取付けて長紐上で滑走させる式で利用する。尚、図1-2の連繋体7を利用する方法は、紐を中間で曲げることにより、半分の長さになる現象を利用するもので、滑走体を介して任意に長さを調整し、適宜使用する。尚、伸縮体と着脱体を備える。この式を応用して、図６-２の如く、中間部を電話機に取付け、一方端をホルダーに取付ける。他方端を引き、尚、保持環に絡めて固定させる式で利用する。自由な位置で設定させるため伸縮式収束体を備える。尚、図6-5で示す如く、財布とカギを取付けて、この方法で利用する。又、図６-3に示す環状ストラップIｂは環状とする弾性中空体に線状体と,伸縮性収束管、紐状体を備えて、図６-２の如く、面版上の保持環に剥き出し状で挿着された電話機の両端を、保持環を介して、伸縮環で電話機の対角点を越して挟む式で滑落防止とするものであり、弾性体を環状にすることにより、伸縮性が備わる現象を利用するもので、締着位置を調整するため、伸縮式の収束体と、リング状の制脱体を取付ける。又、両端が閉じられたバッグの把手等に掛けて装着するための環状装着体は、図5-1のように、帯紐体の一方端に貫通孔を設けた環状部を備え、尚、他方端側に長さ調整のための複数の貫通孔を設け、任意の位置で環状部を設けた線状体で締着して環状とする。又、腕などに簡単な操作で掛ける為、分割状にして着脱体を備えた講造とする。
又、図７の如く、携帯電話機の背面へ支点体を設けた保持体を接着し、更に、折り曲げ状の装着体を備える。
【０００７】
図５‐1に示す如く、環状部と、貫通孔、着脱具を設けた環付ベルトJaと、着脱具と,複数の貫通孔を設けたベルトJb、及び、線状の締結ストラップJcでなる吊下げ環Jを備える。
【実施例】
【０００８】
図１-1は、折返し状体の端部側に連結体、着脱体、収束体、固着体を介して形成された構造体の応用例を示す一覧図の（イ、ロ、ハ、ニ、ホ、ヘ、ト）を以下において応用するもので、図１-２の基本型を示す概観図の如く、横挿入式の収納ケース１へ、制脱体２、伸縮調整体3aと吊り体3b、帯状体3cでなる弾性抑脱体３を取付け、尚、縦向きの装着体４へ平面状の反転抵抗体５を重合して、着脱体（４a,４b）を設け、尚、着脱体５aと貫通孔５bを設け、支点体ｘ1を介して取付け、尚、離脱抵抗体とする折りたたみ式財布８を着脱体(5a、8a)で取付け、又、錘体（コイン袋）９を、帯紐9aで取付けている。又、端部へ環状部６aを設けた装着ベルト６と、伸縮体７aと着脱体（７ｂ、７c、７ｄ、７e、７ｆ，７ｇ）からなる連繋体７を取付けている。図２は、袋式ホルダーの構成を示す概要図で、弾性体でなる重ね襟模様で、挿入口が切り裂き状の袋式収納ケースAへ、貫通孔 b1を備えた反転抵抗体Bを重合した装着体Cへ着脱体c1を設け、尚、支点鋲x3で取付ける。又、捩れ模様の弾性帯紐体d1、伸縮性収束リングｄ2と、吊りリングｄ3でなる反転式抑脱体Dを支点体ｘ1、ｘ２で取付け、尚、帯紐e1と、滑走リングe２、着脱具e３、着脱リングe４でなる連繋体Eを電話機に連結し、尚、長帯紐F上を滑走させる式としている。尚、反転抵抗体Bには芳香剤等を添加する。
【０００９】
図３-1は、保持環の構成を示す概観図で、保持環Gは、透明性の中空体g1と、線状体g2、及び、直線芯軸g３、連結体g４で構成されている。図３-２は、応用した収納ケースであり、二重保持環G１へ、絞り体ｇ5、T字状連結体ｇ6、透明性帯ｇ7、着脱体（ｇ8、ｇ9、ｇ10, g11）と、リングg12でなる制脱体G２で構成されている。図3-3はリング式ホルダーの構成図で、リング式収納ケースへ,弾性の線状体g13、環ｇ14、リングｇ15、吊りリングｇ16でなる上部抑脱体G３を取付け,尚、着脱具 g17、ｇ18を設けた装着体G4を、支点体Xaで重合する。
【００１０】
図４-１は面版式ホルダーの、単体のU字型ホルダーの展開図で、平面版Hへ、着脱ボタン用孔(h1、h2)と、収納ケース用孔(h3、h4)と、着脱ボタン用孔(h7)、財布取付用孔(h6),吊り体用孔(h９), 連繋紐用孔(h5),ガイド体用孔(h8)を設け、図４-２の如く折返し状に形成して、収納ケースを取付けたホルダーとしている。図４-３は使用時の組立図で、U字体を重合の構造体として、収納ケースH3を取付けた装着体H1を腰ベルトに掛け、尚、H２を胴縁へ掛けた状態にして、内側に着脱具を介して財布H4を取付け、尚、コイン袋H５を連繋紐H7で吊るしている。又、着脱具h25,伸縮体h26を備えた連繋帯紐H8と、リングh27を設けたマスコット体H６を取付けている。尚、それぞれは着脱ボタンh20、h21、h22、h23、h24備えている。
【００１１】
図４-４の如く、Ｓ字型ホルダーの背面図で、面版を折返し状でＳ字型にして、装着部と収納部を備えた構造として、保持環を備えている。図４-５は平面版を折返し状した構造でなる面版式ホルダー例の一覧図である。
【００１２】
図5-１は吊下げ環Jの分解図であり、帯状体j1、カシメj2、環状部j3、貫通孔j4、スナップボタン凹j5 でなる環付きベルトJaと、 帯状体j6へ、スナップボタン凸j7、貫通孔j8でなるベルトJｂ、更に、線状体j9、収束管j10、ツマミ体j11でなる締結ストラップJｃを備えている。図5-２に示すごとく組立て、吊下げ環とし、バッグの把手、又は、手首に装着する。図6-１は、併合ストラップIaの構成図で、伸縮体i1と着脱具i2,i3でなる伸縮ストラップIxと、紐i4と弾性楔体i5と着脱具i7,錘体i6でなる締着ストラップIyで構成されている。又、図６-２の如く、電話機へ併合ストラップIaを取付け、一方のIxをホルダーへ連結し、他方Iyを保持環に挿着された電話機の背面で絡めて緊縛する式で使用する。
図6-3は、離脱防止用の環状ストラップIbの構成図で、弾性中空体i10、線状芯体i11, 環状紐i12、伸縮性収束管i13、錘体i14で構成されている。図6-4で示す如く、面版上の保持環に挿着された電話機の両端を、弾性体でなる伸縮環が対角点を越して挟む式で締着するものである。又は,硬質の革紐等を利用する。尚, 図６-３の如く、両端にカギ類と財布を連結しても利用する。
【００１３】
図７は接着式ホルダーの概観図で、電話機の背面へ、支点部k1を設けた保持体k2と、着脱体k3,k4を設けた折り曲げ状の装着体k5を備えている。
【図面の簡単な説明】
【００１４】
【図１−１】折返し状体の基本型を示す一覧図
【図１−２】折返し状体利用の基本構成を示す概要図
【図２】重ね襟模様でなるホルダーの構成を示す概観図
【図３−１】弾性の透明ホース使用の曲線部と、直線部を併せ持つ保持環構成図
【図３−２】二重リング式収納ケースの構成を示す概観図
【図３−３】リング式ホルダーの構成を示す概観図
【図４−１】U字型面版式ホルダーの展開図
【図４−２】U字型面版式ホルダーの前面側斜視図
【図４−３】U字体重合面版式ホルダーの、使用時の構成図
【図４−４】S字型収納ケースに保持環と財布を連結した状態を示す背面側斜視図
【図４−５】面版式ホルダー用の折返し状体の応用例を示す一覧図
【図５−１】吊下げ環とする装着ベルト（Ja,ｊb）と線状結束体の分解図
【図５−２】吊下げ環の組立概観図
【図６−１】離脱防止用併合ストラップIaの構成図
【図６−２】電話機に取付けた離脱防止用併合ストラップIaの使用例の軌跡図
【図６−３】離脱防止用環状ストラップIbの構成図
【図６−４】保持環に挿着された電話機と離脱防止用環状ストラップIｂの関係図
【図６−５】財布とカギの離脱防止とする連携紐の応用例を示す概観図
【図７】（請求項６）を説明する参考斜視図
【符号の説明】
【００１５】
(イ)保持環用、(ロ) 制脱、抑脱体用、(ハ)装着体用、(ニ)財布状体用、(ホ)吊下げ環用、(ヘ)連繋帯紐体用、(ト)締着、結束体体用、１収納ケース、２制脱体、3a伸縮調整体、3b吊り体、3c帯状体、３弾性抑脱体、（４a,４b）着脱体、４装着体、５a着脱体、５b貫通孔、５反転抵抗体、６a環状部、６吊下げ環、７連繋紐、８財布、(5a、8a)着脱体、9a帯紐、９錘体（コイン袋）、ｘ1支点体、A袋式収納ケース、b1貫通孔、B反転抵抗体、c1着脱体, C装着体.x3支点鋲、ｄ1弾性帯紐体、ｄ2伸縮性収束リング、ｄ3吊りリング、D反転式抑脱体、ｘ2、ｘ3、ｘ4支点体、e1帯紐、e2滑走リング、e3着脱具、e4着脱リング、E連繋体、F長帯紐、G保持環、g1透明性の中空体、g2線状体、g3直線芯軸、g4連結体、G1二重保持環、ｇ5絞り体、（ｇ6）T字状連結体、ｇ7透明性帯、（ｇ8、ｇ9、ｇ10, g11）着脱体、g12リング、G2制脱体,g13線状体、ｇ14環、ｇ15リング、ｇ16吊りリング、G3抑脱体, g17、ｇ18着脱具、G4装着体、Xa支点体、H平面版、(h1、h2)着脱ボタン用孔、h3保持環用孔、h4制脱帯用、h5連繋紐用孔、 (h6)財布取付用孔, (h7)着脱ボタン用孔,  (h8)ガイド体用孔、(h9)吊り体用孔、H3収納ケース、（H1、H2）装着体、H4財布、H5コイン袋、H6マスコット体、H7連繋紐、H8連繋帯紐、h25着脱具, h26伸縮体、ｈ3１リング、（h20、h21、h22、h23、h24）着脱ボタン、J吊下げ環,j1帯状体、j2カシメ、j3環状部、j4貫通孔、j5スナップボタン凹、Ja環付きベルト、j6帯状体、j7スナップボタン凸、j8貫通孔、Jｂベルト、j9線状体、j10収束管、j11ツマミ体、Jｃ締結ストラップ、Ia併合ストラップ、i1伸縮体、i2,i3着脱具、Ix伸縮ストラップ、i4紐、i5弾性楔体、i6錘体、i7着脱具、Iy締着ストラップ、i10弾性中空体、i11線状芯体, i12環状紐、i13伸縮性収束管、i14錘体、Ib環状ストラップ、k1支点部、k2保持体、k3,k4着脱体、装着体k5、
【図１−１】
2004275752.tif 000003
【図１−２】
2004275752.tif 000004
【図２】
2004275752.tif 000005
【図３−１】
2004275752.tif 000006
【図３−２】
2004275752.tif 000007
【図３−３】
2004275752.tif 000008
【図４−１】
2004275752.tif 000009
【図４−２】
2004275752.tif 000010
【図４−３】
2004275752.tif 000011
【図４−４】
2004275752.tif 000012
【図４−５】
2004275752.tif 000013
【図５−１】
2004275752.tif 000014
【図５−２】
2004275752.tif 000015
【図６−１】
2004275752.tif 000016
【図６−２】
2004275752.tif 000017
【図６−３】
2004275752.tif 000018
【図６−４】
2004275752.tif 000019
【図６−５】
2004275752.tif 000020
【図７】
2004275752.tif 000021